(57)【特許請求の範囲】
【請求項１】
フラット床下地の上に設置されかつ上面に木質フローリングよりなる床仕上げ材が敷設される暖房床用パネルであって、温水流通管が収容された溝を下面に有する木質板と、前記溝を塞ぐように木質板の下面に接合された裏打シートと、木質板の上面に接合された厚さ０．０４〜０．３ｍｍの均熱シートとよりなり、木質板が、繊維方向が互いに異なる２層以上の単板によって溝よりも上方部分が構成されている合板よりなる、暖房床用パネル。
【請求項２】
裏打ちシートが、紙、不織布、または最上層に紙層もしくは不織布層を有する複合シートによって構成されている、請求項１記載の暖房床用パネル。
【請求項３】
裏打ちシートが、紙、不織布、または最下層に紙層もしくは不織布層を有する複合シートによって構成されている、請求項１記載の暖房床用パネル。
【請求項４】
裏打ちシートが、発泡体シート、不織布、または発泡体シート層もしくは不織布層を有する複合シートによって構成されている、請求項１記載の暖房床用パネル。
【発明の詳細な説明】
【０００１】
【発明の属する技術分野】
本発明は、暖房床用パネルに関する。
【０００２】
【従来の技術】
暖房床構造として、特開平８−２１０７４号公報に開示されたものが従来より知られている。この暖房床構造は、フラット床下地の上に、平板の上面に複数の帯状板を所定間隔おきに並列状に配置固定することにより形成された木質下地パネルが設置され、下地パネルにおける隣り合う帯状板どうしの間に形成された溝内に温水流通管が収容され、下地パネルの上面に、金属板を介して複数の木質フローリングが敷設されてなるものである。
【０００３】
また、暖房床構造として、特開平９−２２２２３６号公報に開示されたものも従来より知られている。この暖房床構造は、フラット床下地の上に、所要の隙間をあけて平行に配置される１対の棒状体よりなる温水流通管収容溝形成ユニットが、所定間隔おきに並列状に複数設置されるとともに、隣り合う前記ユニットどうしの間に断熱材が介在され、前記ユニットおよびフラット床下地により形成された温水流通管収容溝に、該溝に嵌められる凹陥部を有する金属板を介して、温水流通管が収容され、前記ユニットおよび断熱材の上面に床仕上げ材が敷設されているものである。
【０００４】
【発明が解決しようとする課題】
しかしながら、従来の上記２つの暖房床構造には、それぞれ次のような問題があった。
【０００５】
即ち、両床暖房構造は、建築現場において上記のように各床材料を順次施工していくことによって形成されるため、非常に手間がかかり、著しく作業効率に劣っていた。
【０００６】
また、両床暖房構造の場合、温水流通管の配設作業中に、温水流通管収容溝にゴミが溜まったり、同溝に傷が付いたりすることがあった。しかも、温水流通管収容溝に配設された温水流通管は、露出しているため、その後の作業中に傷が付くおそれがあった。そこで、このような問題に対処するために、従来の上記両暖房床の施工にさいしては、面倒でも、設置された下地パネルや温水流通管収容溝形成ユニットおよび断熱材の上に、合板やシート等を捨て貼りしておくことが行なわれていた。
【０００７】
特開平８−２１０７４号公報に開示された暖房床構造において、下地パネルと木質フローリングとの間に介在される金属板は、均熱性の向上に寄与するものであり、例えば厚さ０．３５ｍｍまたは０．６ｍｍの亜鉛鉄板やアルミニウム板等が用いられていた。この金属板は、通常木質フローリングの実部に斜め上方から打ち込まれる釘によって木質フローリングとともに下地パネルに止められるが、木質フローリングと比べると硬くしかも平滑性が高いため、釘が金属板で滑って打ち込み難かった。また、木質フローリングと金属板との硬度の相違により、これらに打ち込まれる釘が金属板に達したところで一瞬減速し、その反動によって木質フローリングが釘頭の方に浮き上がり、そのまま釘を打ち込んでいくと、木質フローリングが下地パネルから浮き上がった状態となることがあった。
【０００８】
本発明の目的は、上記の問題点を解決することにある。
【０００９】
【課題を解決するための手段】
本発明による暖房床用パネルは、温水流通管が収容された溝を下面に有する木質板と、木質板の下面に溝を塞ぐように接合された裏打シートとを備えてなるものである。
【００１０】
本発明による上記暖房床用パネルにおいて、好ましくは、木質板の上面に均熱シートが接合されている。
【００１１】
【発明の実施の形態】
次に、本発明の実施形態を図面を参照しながら説明する。
【００１２】
図１〜図４は、本発明による暖房床用パネルの構造を示している。この暖房床用パネル(1) は、温水流通管(3) が収容された溝(21)を下面に有する木質板(2) と、前記溝(21)を塞ぐように木質板(2) の下面に接合された裏打シート(4) と、木質板(2) の上面に接合された均熱シート(5) とよりなる。
【００１３】
木質板(2) の材料は、合板、中質繊維板（ＭＤＦ）や硬質繊維板（ＨＢ）や高比重木質繊維板（ＨＤＦ）などの木質繊維板、パーティクルボード、オリエンテッドストランドボード、集成板、集成材等の木質材の中から適宜に選択することができ、単一種類のものを用いてもよく、数種類を組合わせたものを用いてもよい。なお、釘保持力の点からいえば、木質板(2) の材料として、合板、中質繊維板、高比重木質繊維板、集成板または集成材が好ましい。また、寸法安定性、即ち、吸放湿に伴う寸法変化が小さいという点からいえば、合板が好ましく、また、加工性や均質性の点からいえば、木質繊維板が好ましい。木質板(2) の厚みは、これの下面に形成される溝(21)の深さよりも当然厚くする必要があるが、溝(21)よりも上方部分が取扱い時に破損しない程度の厚みとなるようにする必要がある。木質板(2) が合板よりなる場合、繊維方向が互いに交差する２層以上の単板によって、木質板(2) における溝(21)よりも上方部分が構成されるのが好ましく、それによれば、パネル(1) 施工時の温水流通管(3) の損傷をより確実に防止することができる。
【００１４】
温水流通管(3) の材料としては、例えば、銅、鉄等の金属製パイプ、架橋ポリエチレン樹脂等の柔軟性を有する合成樹脂製パイプなどを挙げることができる。但し、管どうしの接続性の点からいえば、柔軟性に富み、例えばタケノコ継手およびパイプバンドによって容易に接続できる合成樹脂製パイプが好ましい。
【００１５】
木質板(2) 下面の溝(21)は、ルーター等によって、収容すべき温水流通管(3) の寸法、本数および配管パターンに応じて適宜に形成される。溝(21)の深さおよび幅は、温水流通管(3) の通水による径方向および長さ方向の膨脹を考慮して、非通水時の温水流通管(3) の外径よりも若干大きめに設定される。例えば、温水流通管(3) として架橋ポリエチレン樹脂製パイプ等の柔軟性パイプを用いる場合、これの非通水時の外径と比べて、溝(21)の深さを０．２ｍｍ程度、同幅を０．５ｍｍ程度それぞれ大きく設定する。但し、熱伝導性の点からいえば、温水流通管(3) と溝(21)底面とが必ず接していることが好ましく、そのためには、温水流通管(3) として柔軟性パイプを用いるとともに、溝(21)の深さを非通水時の温水流通管(3) の外径と同一とし、溝(21)の幅を非通水時の温水流通管(3) の外径よりも若干大きめにしてもよい。このようにすれば、温水流通管(3) と溝(21)底面とが必ず接するうえ、通水時の温水流通管(3) の膨脹が溝(21)両側面との隙間に受け入れられることになる。温水流通管(3) の両端部を隣接パネル(1) の温水流通管(3) の端部と接続するために、木質板(2) 下面の溝(21)の両端は、側面に開口している（図１参照）。温水流通管(3) は、図１および図３に示すように、通常平面よりみて蛇行状に配管されるが、その他、例えば渦巻き状などに配管されてもよく、任意に設定することができる。なお、図１および図３に示すパネル(1) では、木質板(2) の１短辺側にやや偏って温水流通管(3) が配管されているが、この配管位置は、暖房床に占めるパネルの位置等に応じて適宜に設定されるものであり、木質板(2) のほぼ全体に温水流通管(3) が配管されるパネルもあれば、図１および図３に示す木質板(2) よりもさらに１短辺側に偏ったり、また１長辺側に偏って温水流通管(3) が配管されるパネルもある。
【００１６】
裏打シート(4) が木質板(2) の下面に接合されることによって、温水流通管(3) が溝(21)から脱落するのが防止されるとともに、製造時や施工時の取扱い中の温水流通管(3) の損傷が防止される。裏打シート(4) の材料としては、紙、不織布、防湿シート、連続気泡または独立気泡の発泡体シート等が挙げられ、これらのうち単一種類のものを用いてもよく、数種類を組合わせた複合シートを用いてもよいが、好ましくは防湿シートが用いられる。裏打シート(4) が防湿シートによって構成されていれば、後述するように防湿性を有する金属シート等によって構成される均熱シート(5) と相俟って、木質板(2) への吸湿を上下両面から抑制することができ、それによって木質板(2) の反りが防止される。なお、独立発泡の発泡体シートも防湿性を有しているので、これを裏打シート(4) として用いた場合にも上記と同様の効果が得られる。防湿シートの具体例としては、金属シート、防湿塗装紙、ポリエチレンやポリプロピレン等の合成樹脂シート、金属シートまたは合成樹脂層や合成樹脂シートの少なくとも片面に紙や不織布を積層した複合シート等が挙げられる。裏打シート(4) が紙、不織布または最上層に紙層若しくは不織布層を有する複合シートによって構成されている場合、木質板(2) の下面への接着が容易である。また、裏打シート(4) が紙、不織布または最下層に紙層若しくは不織布層を有する複合シートによって構成されている場合、製造工程中にパネル(1) または木質板(2) と裏打シート(4) との積層体を堆積しても滑り難いという利点がある。裏打シート(4) が金属シートまたは金属シート層を有する複合シートで構成されている場合、該シートの上方への熱反射による伝熱効率の向上を図ることができる。また、裏打シート(4) が発泡体シート、不織布またはこれらの層を有する複合シートで構成されている場合、パネル(1) が施工されるフラット床下地に不陸があってもそれを吸収することができる。
【００１７】
均熱シート(5) は、均熱性の向上に寄与するものであり、通常厚さ０．３ｍｍ以下のアルミニウムシートや鉄シート等の金属シートが用いられるが、金属シートの少なくとも片面に紙や不織布を積層した複合シートを用いてもよい。均熱シート(5) が金属シートからなる場合、その厚みが０．３ｍｍを越えると、均熱性はさらに良くなるが、パネル(1) の重量が重くなるし、床仕上げ材を止めるための釘類の貫通性が低下するうえ、建築現場においてパネル(1) の一部を切断する必要が生じたさいにその切断作業が困難となり切断用の鋸や丸鋸の刃の消耗が大きくなってしまう。また、均熱シート(5) が金属シートからなる場合において、その厚みが０．０４ｍｍ以上あれば木質板(2) との接着時にシワになり難く、また厚みが１ｍｍ以下であればパネル(1) をフラット床下地に釘類で垂直止めし易い。木質板(2) との接着作業、取扱い作業等の作業性、均熱性および釘類の貫通性を考慮すると、金属シートからなる均熱シート(5) の厚みは、０．０４ｍｍ〜０．５５ｍｍの範囲であるのが好ましい。なお、均熱シートが金属シートと紙等との複合シートである場合、金属シート層の厚みを上記と同様にするのが好ましい。均熱シート(5) は、木質板(2) の上面に通常接着により固定されている。したがって、床仕上げ材を止めるための釘類を斜め上方からパネル(1) に打ち込んださいに均熱シート(5) が動くことがなく、床仕上げ材が浮き上がった状態で納まることもない。また、パネル(1) の一部を切断する必要が生じた場合でも、均熱シート(5) が他のパネル材料と一体化されているので、金属板単独を切断する場合よりも切断作業が容易であり、取扱い時に均熱シート(5) で手、指を切傷することがない。図３に示すように、均熱シート(5) の上面に、温水流通管(3) の配置を明確にして釘類の打ち込みまたは打ち付け可能な箇所を表示した表示部(51)が、スクリーン印刷等によって形成されているのが好ましい。なお、本発明の暖房床用パネルは均熱シートを備えないものも含んでおり、その場合には、例えばパネルの上に施工される床仕上げ材の下面に予め均熱シート等の均熱材を接合しておいてもよいし、また、施工時に、パネル(1) の木質板(2) 上面に均熱シートを接合してもよい。
【００１８】
図４に詳しく示すように、木質板(2) の溝(21)上方部分および均熱シート(5) における温水流通管(3) の両端部に対応する箇所に、溝(21)と連なるように切欠部(6) が形成されている。切欠部(6) の上縁寄りには段差(61)があり、これらの段差(61)に載るようにして、切欠部(6) に取り外し自在な蓋(7) が嵌められている。切欠部(6) に嵌められている蓋(7) を取り外せば、温水流通管(3) の両端部を露出させることができるので、例えばタケノコ継手およびパイプバンド（図示略）を用いて接続作業を容易に行なうことができる。温水流通管(3) の接続が終了すれば再び蓋(7) を切欠部(6) に嵌め、金属テープ等を貼り付けて固定すればよく、これにより温水流通管(3) の両端部が被覆されて、その後の作業中に温水流通管(3) に傷が付いたりするおそれもない。なお、上述した蓋(7) は、例えば熱伝導性に優れたアルミニウム板等の金属板によってつくられる。なお、切欠部(6) は、温水流通管(3) どうしの接続作業が容易となるような任意の長さに設定すればよい。また、温水流通管(3) の接続部に対応する切欠部(6) および溝(21)の幅は、その他の部分の幅より大きくしておいてもよい。
【００１９】
本発明による上記暖房床用パネル(1) は、コンクリートスラブや木質板よりなるフラット床下地の上に設置される。フラット床下地用の木質板としては、合板、パーティクルボード、木質繊維板、オリエンテッドストランドボード等の単体または複数種類を積層したものなどが挙げられる。木質板よりなるフラット床下地は、根太に固定される他、高さ調整可能な床支持具に支持される場合がある。また、フラット床下地が木質板よりなる場合、防音の目的でその下に例えば不織布や連続発泡体よりなる吸音材を設置してもよい。パネル(1) のフラット床下地への固定は、釘、木ネジ、ビス等の釘類によって止めるか、接着剤で接着するか、または両者を併用することによって行なわれる。なお、釘類で止める場合、釘類を垂直方向に打ち込むのが一般的である。
【００２０】
図５は、パネル(1) の設置が終了した状態を上からみた図である。なお、図５の左から２列目の２枚のパネル(1) は、図１〜図４に示すパネル(1) と同じものであるが、左から３列目の２枚のパネル(1) は、温水流通管(3) が１本であってその両端部がパネル(1) の左縁部に開口している。また、図５の左右両外側の列の計４枚のパネルは、木質板(2) に温水流通管が内蔵されている点を除いてパネル(1) と同一の構造を有するダミーパネル(8) である。ダミーパネル(8) の厚みは、パネル(1) の厚みと同じである。隣接するパネル(1) の温水流通管(3) どうしは、各パネル(1) 上面の所定箇所にある蓋(7) が切欠部(6) から外された状態で、タケノコ継手およびパイプバンド（図示略）によって接続される。接続作業が終了したら、再び蓋(7) をパネル(1) の切欠部(6) に嵌め、金属テープ等によって貼り付け固定しておく。こうして、図５の内側２列の計４枚のパネル(1) 内の温水流通管(3) によって、独立した２系統の２重蛇行状温水循環通路(30)が形成される。各温水循環通路(30)への温水の流入および排出は、図５の左から２列目の２枚のパネル(1) 内の温水流通管(3) からそれぞれ別個にパネル(1) 下方に突出するように設けられた温水流入管および同排出管接続部材(9) を介して行なわれる。
【００２１】
図６は、本発明による暖房床用パネル(1) を用いた暖房床構造を示している。図６において、暖房床構造は、複数の上記暖房床用パネル(1) が、高さ調節可能な床支持具(10)に支持された木質板製フラット床下地(15)の上に設置され、これらのパネル(1) の上面に床仕上げ材(16)が敷設されているものである。
【００２２】
フラット床下地(15)を支持する床支持具(10)は、べた基礎、束石、土間コンクリート床または床スラブ等の床基盤(B) の上に立てられる。図６に示す床支持具(10)は、床基盤(B) に載置される台座(11)と、台座(11)に上向きに取り付けられかつ雄ねじを有するねじ棒(12)と、ねじ棒(12)の雄ねじにねじ合わせられる雌ねじを有するスリーブ(13)と、スリーブ(13)上端のフランジ(13a) に支持れさた受座(14)とよりなる。図示の床支持具(10)は、ねじ棒(12)を所要の方向に回転させることによって高さを調整することができる。
【００２３】
床仕上げ材(16)としては、木質フローリング、カーペット、コルク、クッションフロア等の公知のものであればいずれを用いてもよい。また、その施工も公知の方法によって行なえばよいが、具体例を挙げると、釘類で止める方法、接着剤による接着と釘類の併用、接着剤および接着テープによる接着ならびにこれに更に釘類を併用する方法等が挙げられる。釘類で止める場合、釘類を斜め上方から打ち込む他、上方から垂直方向に打ち込むようにしてもよい。なお、床仕上げ材(16)を釘類やステープルによってパネル(1) に止める場合、パネル(1) 内の温水流通管(3) を避けるように注意する必要があるが、図３に示すようにパネル(1) の均熱シート(5) 上面に釘打ち可能箇所等の表示部(51)があれば、安全に施工することができる。また、例えば木質フローリングのように複数の床仕上げ材(16)を用いる場合（図６参照）、床仕上げ材(16)どうしの継目がパネル(1) どうしの継目と一致しないように注意する必要がある。
【００２４】
【発明の効果】
本発明の暖房床用パネルによれば、これをフラット床下地上に設置し、その上に床仕上げ材を敷設するだけで、簡単に暖房床構造が得られるので、冒頭の従来技術と比べて施工性が格段に向上する。また、温水流通管が木質板下面に形成された溝に収容されるとともに、該溝が裏打シートによって塞がれているので、施工時に温水流通管に傷がついたり、これが収容される箇所にゴミが溜ったりするおそれがなく、捨て貼りも一切不要である。
【００２５】
また、パネルの木質板上面に均熱シートが接合されていれば、均熱性を向上させることができるうえ、床仕上げ材を止めるための釘類を打ち込むのも容易である。
【図面の簡単な説明】
【図１】本発明による暖房床用パネルを下方からみた一部切欠き断面斜視図である。
【図２】図１のII−II線に沿うパネルの一部拡大垂直断面図である
【図３】パネルの平面図である。
【図４】パネルの一端部を拡大して示す斜視図である。
【図５】本発明の暖房床パネルをフラット床下地上に設置した状態を示す平面図である。
【図６】本発明の暖房床用パネルを用いた暖房床構造を示す垂直断面図である。
【符号の説明】
(1) …暖房床用パネル
(2) …木質板
(21)…溝
(3) …温水流通管
(4) …裏打シート
(5) …均熱シート
【図１】
0003826244.tif 000002
【図２】
0003826244.tif 000003
【図３】
0003826244.tif 000004
【図４】
0003826244.tif 000005
【図５】
0003826244.tif 000006
【図６】
0003826244.tif 000007